(57)【特許請求の範囲】
【請求項１】
断熱パネルにより構成した冷却貯蔵庫の内部に移動可能に組付けられて同冷却貯蔵庫内に２つの区画室を形成しその端面全周に取付けたパッキンを同冷却貯蔵庫の内壁面に密着させて前記区画室を気密的に隔離する移動仕切壁であって、
同移動仕切壁を構成する壁本体の前面と裏面における左右側縁部にそれぞれ上下方向に固定した左右一対の棚柱と、これらの各棚柱の下端に取付けられて前記壁本体の前後の移動を許容するキャスターとを設けて、前記棚柱にそれぞれ組付けた棚受け部材に着脱可能に受承されて前記壁本体の移動方向に突出する棚を備えるようにしたことを特徴とする冷却貯蔵庫における移動仕切壁。
【発明の詳細な説明】
【０００１】
【発明の属する技術分野】
本発明は、冷却貯蔵庫の内部に移動可能に組付けられて同冷却貯蔵庫内に２つの区画室を形成するとともに移動動作によって前記両区画室の容積を可変とする冷却貯蔵庫における移動仕切壁に関する。
【０００２】
【従来の技術】
箱体内に移動可能に組付けられて箱体内に形成される区画室の容積を変更可能な移動仕切壁は、例えば実公昭４３−２２７６２号公報に示されていて、その下端部には移動用の車輪（キャスター）が組付けられている。
【０００３】
【発明が解決しようとする課題】
上記した公報の移動仕切壁においては、移動仕切壁が単に仕切りとしての機能しかなく、区画室に多量の収容物を収納するときには、既製の棚を設置する必要があり、かかる場合には移動仕切壁の移動と既製棚の設置を別個に行わなければならず、作業性が極めて悪い。また、移動仕切壁を構成する壁本体に車輪を直接組付ける構成が採用されているため、車輪の壁本体に対する組付強度を十分に得られないおそれがある。
【０００４】
【課題を解決するための手段】
本発明は、上記した問題に対処するため、断熱パネルにより構成した冷却貯蔵庫の内部に移動可能に組付けられて同冷却貯蔵庫内に２つの区画室を形成しその端面全周に取付けたパッキンを同冷却貯蔵庫の内壁面に密着させて前記区画室を気密的に隔離する移動仕切壁であって、同移動仕切壁を構成する壁本体の前面と裏面における左右側縁部にそれぞれ上下方向に固定した左右一対の棚柱と、これらの各棚柱の下端に取付けられて前記壁本体の前後の移動を許容するキャスターとを設けて、前記棚柱にそれぞれ組付けた棚受け部材に着脱可能に受承されて前記壁本体の移動方向に突出する棚を備えるようにしたことを特徴とするものである。
【０００５】
【発明の作用・効果】
本発明に係る移動仕切壁においては、壁本体の表裏両側部に組付けた各棚柱に設けた棚受け部材に棚を脱着可能に組付けることができるため、各棚柱に設けた棚受け部材に棚を組付けることにより、多量の収容物を移動仕切壁の表裏にて棚に収納することができ、しかも移動仕切壁の移動時には多量の収容物を棚に収納したままでよく、作業効率を大幅に向上させることができる。
【０００６】
また、壁本体の表裏両側部に各一対の棚柱を一体的に組付け、これら各棚柱の下端にキャスターをそれぞれ組付ける構成を採用したため、各棚柱によって壁本体を補強することができて、移動仕切壁の剛性を高めることができるとともに、棚に載せた収容物の荷重を各棚柱から直接キャスターに伝えることができて、各棚柱の壁本体への組付部に加わる負荷を小さくすることができる。
【０００７】
【発明の実施の形態】
以下に、本発明の一実施形態を図面に基づいて説明する。図１及び図２はプレハブ型の貯蔵庫を示していて、この貯蔵庫における断熱箱体１０内には断熱移動仕切壁２０によって容積が可変の冷蔵温度室Ｒ１と冷凍温度室Ｒ２が区画形成されている。断熱箱体１０は、６面の断熱パネル、すなわち前後・左右の側壁パネル１１，１２，１３，１４と天井パネル１５と床パネル１６を備えていて、前面の側壁パネル１１に設けた一対の開口１１ａ，１１ｂには冷蔵温度室Ｒ１用の開閉扉１７と冷凍温度室Ｒ２用の開閉扉１８がそれぞれ組付けられている。また、冷蔵温度室Ｒ１と冷凍温度室Ｒ２には、室内冷却器Ａ１とＡ２がそれぞれ組付けられていて、冷蔵温度室Ｒ１と冷凍温度室Ｒ２がそれぞれ設定温度範囲（適宜に設定可能）に維持されるようになっている。
【０００８】
断熱移動仕切壁２０は、壁本体２１と、この壁本体２１の表裏（冷蔵温度室Ｒ１側と冷凍温度室Ｒ２側）にそれぞれ一対組付けた棚柱２２、キャスター２３及びガイドピン２４と、壁本体２１の表裏全周にそれぞれ組付けたパッキン２５と、壁本体２１の冷蔵温度室Ｒ１側に一対組付けた把手２６と、壁本体２１の冷蔵温度室Ｒ１側に二対組付けたロック装置２７等を備えていて、床パネル１６上に配設したベース２８上に図１の左右方向へ移動可能に配置されており、その移動量（移動範囲）を二対４個（図では２個省略されている）のストッパ３０によって規定されるようになっている。ベース２８は、前面の側壁パネル１１に設けた一対の開口１１ａ，１１ｂ間の長さに略等しい長さ（両開口１１ａ，１１ｂに対してオーバーラップまたはアンダーラップしない長さ）を有していて、上面が平坦に形成されている。
【０００９】
各棚柱２２は、壁本体２１の側端部にボルト４１を用いて一体的に固着されていて、上中下三段の棚５０が脱着可能に組付けられるようになっている。各キャスター２３は、棚柱２２の下端に一体的に組付けられていて、ベース２８上を転動するようになっている。各ガイドピン２４は、樹脂製で棚柱２２の上端部及び下端部の側面に一体的に組付けられていて、先端にて前または後の側壁パネル１１または１２の内面に摺接可能であり、断熱移動仕切壁２０の移動を左右のブレを抑制した状態でガイドするようになっている。
【００１０】
各パッキン２５は、壁本体２１の周縁部全周に一体的に組付けられていて、冷蔵温度室Ｒ１と冷凍温度室Ｒ２間での冷気の流通を遮断している。各把手２６は、壁本体２１の上下方向中間部に一体的に組付けられていて、断熱移動仕切壁２０の移動時に使用されるようになっている。各ロック装置２７は、棚柱２２に一体的に組付けられていて、手動式のロックピン２７ａが棚柱２２の孔２２ａを貫通して前または後の側壁パネル１１または１２の内面に所定のピッチで設けた孔１１ｃ（後面の側壁パネル１２に設けた孔は図示省略）に嵌合することにより、断熱移動仕切壁２０を移動不能に固定できるようになっている。
【００１１】
各ストッパ３０は、図２及び図３に示したように、直角二等辺三角形に形成されていて、等辺部位に一対の取付孔を有する取付片３１，３２を有しており、ねじ４２を用いて断熱箱体１０の天井パネル１５と前または後の側壁パネル１１または１２に断熱移動仕切壁２０の移動方向にて所定の間隔で一体的に固定されるようになっている。また、各ストッパ３０は、図３に示したように、断熱移動仕切壁２０の上部コーナーとの当接により、断熱移動仕切壁２０の移動を規制して移動量（移動範囲）を設定量Ｓに規定するようになっていて、かかる状態（各ストッパ３０に断熱移動仕切壁２０が当接した状態）では各キャスター２３がベース２８から脱輪しないようになっている。
【００１２】
各棚５０は、図４（ガイドピン２４、パッキン２５、把手２６、ロック装置２７等は図示省略してある）に示したように、一対の棚受金５１と連結補強アングル５２を用いて一対の棚柱２２に工具を用いることなく取付・取外可能となっている。各棚受金５１は、側面に一体的に組付けた一対のピン５１ａにて棚柱２２に設けた一対のだるま孔２２ｂに取付・取外可能となっており、連結アングル５２を組付けるための切欠５１ｂを有している。連結補強アングル５２は、両棚受金５１に取付・取外可能となっており、両端に各棚受金５１の切欠５１ｂを設けた部位に係合・離脱可能なフック部５２ａを有している。
【００１３】
上記のように構成した本実施形態においては、各ロック装置２７を解除した状態で両把手２６を用いて断熱移動仕切壁２０を冷蔵温度室Ｒ１側または冷凍温度室Ｒ２側に移動することができ、また各ロック装置２７をロックした状態で断熱移動仕切壁２０を固定することができて、冷蔵温度室Ｒ１と冷凍温度室Ｒ２の容積を断熱移動仕切壁２０の移動範囲にて増減変更することができる。
【００１４】
ところで、本実施形態においては、移動仕切壁２０において、壁本体２１の表裏両側部に組付けた各棚柱２２に棚５０を脱着可能に組付けることができるため、各棚柱２２に棚５０を組付けることにより多量の収容物（図示省略）を移動仕切壁２０の表裏にて棚５０に収納することができ、しかも移動仕切壁２０の移動時には多量の収容物を棚５０に収納したままでよく、作業効率を大幅に向上させることができる。
【００１５】
また、壁本体２１の表裏両側部に各一対の棚柱２２を一体的に組付け、これら各棚柱２２の下端にキャスター２３をそれぞれ組付ける構成を採用したため、各棚柱２２によって壁本体２１を補強することができて、移動仕切壁２０の剛性を高めることができるとともに、棚５０に載せた収容物の荷重を各棚柱２２から直接キャスター２３に伝えることができて、各棚柱２２の壁本体２１への組付部に加わる負荷を小さくすることができる。
【００１６】
また、本実施形態においては、各ストッパ３０が、断熱箱体１０内に断熱移動仕切壁２０の移動方向にて所定の間隔で二対配置（各側壁パネル１１，１２にそれぞれ一対配置）されていて、断熱移動仕切壁２０の不必要な移動（所定の間隔以上の移動）を規制できることは勿論のこと、各ストッパ３０が断熱箱体１０の天井パネル１５と側壁パネル１１または１２に固定されるものであるため、ストッパ３０自体の断熱箱体１０への組付強度を高めることができるとともに、断熱箱体１０の天井パネル１５と側壁パネル１１または１２のかすがい（連結体）としても機能して断熱箱体１０の剛性をも高めることができる。
【００１７】
また、各ストッパ３０を断熱箱体１０内の床パネル１６上（上記実施形態ではベース２８上）に配置するものに比して、各ストッパ３０の汚れ・発錆等を抑えることができる。また、断熱箱体１０内に作業者が入って作業する場合に、各ストッパ３０が邪魔にならなくて、各ストッパ３０の大型化を図って各ストッパ３０の機能を高めることができるとともに、各種の作業（断熱箱体１０内への収容物の搬入・搬出作業、断熱移動仕切壁２０の移動作業、断熱箱体１０内の清掃作業等）を容易に行うことができる。
【００１８】
上記実施形態においては、断熱箱体１０内に断熱移動仕切壁２０によって容積が可変の冷蔵温度室Ｒ１と冷凍温度室Ｒ２が区画形成されているプレハブ型の貯蔵庫に本発明を実施したが、本発明は、箱体内に移動可能に組付けられて箱体内に形成される区画室の容積を変更可能な種々の移動仕切壁にも実施可能であり、上記実施形態に限定されるものではない。また、上記実施形態においては、棚柱として上下方向に長い棚柱２２を採用して本発明を実施したが、上下方向に短い棚柱を採用して本発明を実施することも可能である。
【図面の簡単な説明】
【図１】  本発明を実施したプレハブ型貯蔵庫の一部破断正面図である。
【図２】  図１に示した貯蔵庫の内側を部分的に示した斜視図である。
【図３】  図２に示したストッパと断熱箱体と断熱移動仕切壁との関係を示す要部断面図である。
【図４】  図２に示した棚柱と棚の関係を示す分解斜視図である。
【符号の説明】
１０…断熱箱体、１１，１２，１３，１４…側壁パネル、１５…天井パネル、１６…床パネル、１７，１８…開閉扉、２０…断熱移動仕切壁、２１…壁本体、２２…棚柱、２３…キャスター、２４…ガイドピン、２５…パッキン、２６…把手、２７…ロック装置、２８…ベース、３０…ストッパ、５０…棚、Ｒ１…冷蔵温度室（区画室）、Ｒ２…冷凍温度室（区画室）。
【図１】
0003999342.tif 000002
【図２】
0003999342.tif 000003
【図３】
0003999342.tif 000004
【図４】
0003999342.tif 000005